(57)【特許請求の範囲】
【請求項１】
噴出器本体と、この噴出器本体の前端に設けられたノズルと、が備えられ、
前記噴出器本体は、上下方向に延びる吸い上げ筒部と、この吸い上げ筒部から前方に向けて延設された射出筒部と、前後方向に揺動可能に垂設されたトリガーと、このトリガーの前後動に伴って前後動させられるピストンと、このピストンの前後動に伴って内部が加圧および減圧させられるシリンダと、を備えるとともに、前記ノズルに、吸い上げ筒部および射出筒部の各内部を通過した液体を外部に噴出するノズル孔が形成されたトリガー式液体噴出器であって、
前記シリンダには、前方に向けて開口した外筒部と、この外筒部の径方向内側に配置されかつ前方に向けて延設されたピストンガイド部と、が備えられるとともに、前記外筒部の後端部にこの外筒部の内部と前記吸い上げ筒部の内部とを連通させる連通孔が形成され、
前記ピストンには、後方に向けて開口しかつその内部に前記ピストンガイド部が挿入されるとともに前端に前記トリガーが連結された筒状のピストン本体部と、このピストン本体部の後端部に設けられ、外周面が前記外筒部の内周面上を前後摺動しかつ内周面がピストンガイド部の外周面上を前後摺動する摺動筒部と、が備えられ、
この摺動筒部の内周面と前記ピストンガイド部との間には、ピストン本体部内の前端部とピストンガイド部の前端部との間の内室と、前記外筒部内の後端部と前記摺動筒部の後端部との間の液室と、を連通する連通路が形成され、
前記ピストンガイド部の外周面には、前記摺動筒部の内周面が前後摺動する摺動突部が周方向に間隔をあけて複数形成されるとともに、周方向で隣り合う摺動突部同士の間が前記連通路とされていることを特徴とするトリガー式液体噴出器。
【請求項２】
請求項１記載のトリガー式液体噴出器であって、
複数の前記摺動突部のうち、前後方向および上下方向の双方に直交する直交方向に沿って延在しかつ前記ピストンガイド部および摺動筒部の共通軸線を通る仮想線上に位置する摺動突部は、他の摺動突部よりも周長が長くなっていることを特徴とするトリガー式液体噴出器。
【請求項３】
請求項１または２に記載のトリガー式液体噴出器であって、
前記摺動筒部の後端面には、前記ピストンガイド部および摺動筒部の共通軸線を中心とした第１環状溝と、この第１環状溝よりも大径でかつ前記共通軸と同軸に配置された第２環状溝とが形成されるとともに、前記摺動筒部の後端部における内周面は、後方に向かうに従い漸次縮径し、この摺動筒部においてその内周面と前記第１環状溝とで区画された内周部分は、径方向に弾性変形可能となっていることを特徴とするトリガー式液体噴出器。
【発明の詳細な説明】
【技術分野】
【０００１】
本発明はトリガー式液体噴出器に関するものである。
【背景技術】
【０００２】
この種のトリガー式液体噴出器として、例えば下記特許文献１に示されるような、噴出器本体と、この噴出器本体の前端に設けられたノズルと、が備えられた構成が知られている。
前記噴出器本体は、上下方向に延びる吸い上げ筒部と、この吸い上げ筒部から前方に向けて延設された射出筒部と、前後方向に揺動可能に垂設されたトリガーと、このトリガーの前後動に伴って前後動させられるピストンと、このピストンの前後動に伴って内部が加圧および減圧させられるシリンダと、を備えている。また、前記ノズルに、吸い上げ筒部および射出筒部の各内部を通過した液体を外部に噴出するノズル孔が形成されている。
ここで、前記シリンダには、前方に向けて開口した外筒部と、この外筒部の径方向内側に配置されかつ前方に向けて延設されたピストンガイド部と、が備えられるとともに、前記外筒部の後端部にこの外筒部の内部と前記吸い上げ筒部の内部とを連通させる連通孔が形成されている。
また、前記ピストンには、後方に向けて開口しかつその内部に前記ピストンガイド部が挿入されるとともに前端に前記トリガーが連結された筒状のピストン本体部と、このピストン本体部の後端部に設けられ、内周面と前記ピストンガイド部の外周面との間に隙間を設けた状態で、外周面が前記外筒部の内周面上を前後摺動する摺動筒部と、が備えられている。
以上の構成において、トリガーを後方に移動させることにより、ピストン本体部内にピストンガイド部を進入させ、かつ摺動筒部の外周面を外筒部の内周面上を摺動させつつ、ピストンをシリンダに対して後退移動させることによって、外筒部内の後端部と摺動筒部の後端部との間の液室内の液体を圧縮しつつ前記連通孔を通して吸い上げ筒部内に供給することで、この液体を射出筒部の内部を通過させノズル孔から噴出するように構成されている。
【特許文献１】特許第３７３４６２８号公報
【発明の開示】
【発明が解決しようとする課題】
【０００３】
しかしながら、前記従来のトリガー式液体噴出器では、摺動筒部の内周面とピストンガイド部の外周面との間に隙間が設けられているので、例えば前後方向および上下方向の双方に直交する直交方向に向けた外力がトリガーに作用したときに、ピストンがシリンダに対して傾き、摺動筒部の外周面と外筒部の内周面との間に隙間が生じ、この隙間を通して前記液室内の液体が外部に漏出するおそれがあった。
【０００４】
本発明は、このような事情を考慮してなされたもので、ピストンがシリンダに対して傾くのを抑えて、シリンダ内の液室から外部に液体が漏出するのを防ぐことができるトリガー式液体噴出器を提供することを目的とする。
【課題を解決するための手段】
【０００５】
上記課題を解決して、このような目的を達成するために、本発明のトリガー式液体噴出器は、噴出器本体と、この噴出器本体の前端に設けられたノズルと、が備えられ、前記噴出器本体は、上下方向に延びる吸い上げ筒部と、この吸い上げ筒部から前方に向けて延設された射出筒部と、前後方向に揺動可能に垂設されたトリガーと、このトリガーの前後動に伴って前後動させられるピストンと、このピストンの前後動に伴って内部が加圧および減圧させられるシリンダと、を備えるとともに、前記ノズルに、吸い上げ筒部および射出筒部の各内部を通過した液体を外部に噴出するノズル孔が形成されたトリガー式液体噴出器であって、前記シリンダには、前方に向けて開口した外筒部と、この外筒部の径方向内側に配置されかつ前方に向けて延設されたピストンガイド部と、が備えられるとともに、前記外筒部の後端部にこの外筒部の内部と前記吸い上げ筒部の内部とを連通させる連通孔が形成され、前記ピストンには、後方に向けて開口しかつその内部に前記ピストンガイド部が挿入されるとともに前端に前記トリガーが連結された筒状のピストン本体部と、このピストン本体部の後端部に設けられ、外周面が前記外筒部の内周面上を前後摺動しかつ内周面がピストンガイド部の外周面上を前後摺動する摺動筒部と、が備えられ、この摺動筒部の内周面と前記ピストンガイド部との間には、ピストン本体部内の前端部とピストンガイド部の前端部との間の内室と、前記外筒部内の後端部と前記摺動筒部の後端部との間の液室と、を連通する連通路が形成され、前記ピストンガイド部の外周面には、前記摺動筒部の内周面が前後摺動する摺動突部が周方向に間隔をあけて複数形成されるとともに、周方向で隣り合う摺動突部同士の間が前記連通路とされていることを特徴とする。
この発明では、摺動筒部が、外筒部の内周面上のみならずピストンガイド部の外周面上をも前後摺動するので、例えば前後方向および上下方向の双方に直交する直交方向に向けた外力がトリガーに作用しても、摺動筒部の内周面および外周面がそれぞれ、ピストンガイド部の外周面および外筒部の内周面に各別に支持されることによって、ピストンがシリンダに対して傾くのを抑制することが可能になり、前記液室内の液体が外部に漏出するのを防ぐことができる。
しかも、摺動筒部の内周面とピストンガイド部との間に前記連通路が形成され、この連通路を介して前記内室と前記液室とが連通しているので、トリガーを後方に移動させてピストンをシリンダに対して後退移動させる過程で連通路を介して前記内室のエアや液体を前記液室に流出させることが可能になり、この内室の内圧が上昇するのを抑制することができる。したがって、前述したように、摺動筒部を、外筒部の内周面上のみならずピストンガイド部の外周面上をも摺動させるようにしたことによって、前記内室の内圧が上昇しトリガーの押し込み量が不足するようになるのを防ぐことが可能になり、吐出障害の発生を防止することができる。
以上より、トリガーの押し込み量を現行同等に維持して吐出障害を生じさせることなく、ピストンがシリンダに対して傾くのを抑制することができる。
【０００６】
ここで、複数の前記摺動突部のうち、前後方向および上下方向の双方に直交する直交方向に沿って延在しかつ前記ピストンガイド部および摺動筒部の共通軸線を通る仮想線上に位置する摺動突部は、他の摺動突部よりも周長が長くなってもよい。
この場合、複数の摺動突部のうち前記仮想線上に位置する摺動突部が、他の摺動突部よりも周長が長くなっているので、シリンダに対してピストンが前記直交方向にガタつくのを抑制することが可能になる。したがって、トリガーに前記直交方向に向けた外力が作用したときにピストンがシリンダに対して傾くのをより一層確実に防ぐことが可能になり、トリガーの牽引操作時にピストンがシリンダに対してガタつき易い方向である前記直交方向のガタつきを防止することができる。
【０００７】
また、前記摺動筒部の後端面には、前記ピストンガイド部および摺動筒部の共通軸線を中心とした第１環状溝と、この第１環状溝よりも大径でかつ前記共通軸と同軸に配置された第２環状溝とが形成されるとともに、前記摺動筒部の後端部における内周面は、後方に向かうに従い漸次縮径し、この摺動筒部においてその内周面と前記第１環状溝とで区画された内周部分は、径方向に弾性変形可能となってもよい。
この場合、摺動筒部においてその内周面と前記第１環状溝とで区画された内周部分が、径方向に弾性変形可能となっているので、摺動筒部の内周面を、ピストンガイド部の外周面上にその径方向内方に向けて押し付けた状態で、摺動筒部内にピストンガイド部を挿入することが可能になり、ピストンガイド部の外周面上で摺動筒部をその径方向内側から確実に支持することができる。
【発明の効果】
【０００８】
この発明に係るトリガー式液体噴出器によれば、ピストンがシリンダに対して傾くのを抑えて、シリンダ内の液室から外部に液体が漏出するのを防ぐことができる。
【発明を実施するための最良の形態】
【０００９】
以下、図面を参照し、この発明の実施の形態について説明する。この実施形態に係るトリガー式液体噴出器１０は、噴出器本体１１と、この噴出器本体１１の前端に設けられたノズル１２と、を備えている。
噴出器本体１１は、上下方向Ａに延びる吸い上げ筒部１３と、この吸い上げ筒部１３から前方に向けて延設された射出筒部１４と、前後方向Ｂに揺動可能に垂設されたトリガー１５と、このトリガー１５の前後動に伴って前後動させられるピストン１６と、このピストン１６の前後動に伴って内部が加圧および減圧させられるシリンダ１７と、を備えている。
【００１０】
吸い上げ筒部１３は、有頂筒状の外筒１８と外筒１８内に嵌合された内筒１９とを備えている。これらの外筒１８および内筒１９はそれぞれ、下方から上方に向けて大径部１８ａ、１９ａと小径部１８ｂ、１９ｂとがこの順に連設された二段筒状に形成されている。そして、各大径部１８ａ、１９ａに、容器体の口部に装着される装着キャップ２０が取り付けられている。また、内筒１９の小径部１９ｂには、装着キャップ２０を容器体の口部に取り付けた状態で、下端開口部がこの容器体内の底部に位置されるパイプ２１が嵌合されている。なお、内筒１９は、大径部１９ａと小径部１９ｂとを連結するフランジ部１９ｃを備えている。
【００１１】
ここで、射出筒部１４は、吸い上げ筒部１３の上端部に設けられ、この射出筒部１４の内部と吸い上げ筒部１３における内筒１９の内部とが吐出孔２２を介して連通している。また、内筒１９内の上端部には、上下方向Ａに弾性変形可能に形成された吐出弁２３が配設されている。この吐出弁２３によって、内筒１９の内部においてこの吐出弁２３よりも下方に位置する部分と、吐出孔２２とを連通および遮断できるようになっている。
さらに、内筒１９の内周面において吐出弁２３の下方でかつパイプ２１の上端よりも上方に位置する部分には、下方に向かうに従い漸次縮径したテーパ筒部１９ｅが突設されている。そして、このテーパ筒部１９ｅ内に球状の吸い込み弁２４が配置されている。この吸い込み弁２４によって、内筒１９内において吐出弁２３と吸い込み弁２４との間に位置する部分と、パイプ２１内とを連通および遮断できるようになっている。
【００１２】
なお、射出筒部１４の前部にはノズル嵌合筒２５が嵌合されており、このノズル嵌合筒２５にノズル１２が嵌合されている。そして、ノズル１２の前端面に図示されないノズル孔が開口している。
さらに、ノズル嵌合筒２５の上方には、前後方向Ｂにおいて射出筒部１４の前部と対応する位置でトリガー１５の上端部を、上下方向Ａおよび前後方向Ｂの双方に対して直交する直交方向Ｃに延びる軸線回りに回動可能に支持する装着板２６ａが設けられている。これにより、トリガー１５は前後方向Ｂに揺動可能に設けられている。
また、この装着板２６ａの前端部には、下方に向けて延設されて下端がトリガー１５の上部に係合された弾性板部２６ｂが連結されている。これにより、トリガー１５を牽引すると弾性板部２６ｂが弾性変形し、その後、この牽引を解除したときに、弾性板部２６ｂが復元変形することにより、トリガー１５が前方に揺動するようになっている。
【００１３】
さらに、吸い上げ筒部１３の外筒１８において、射出筒部１４よりも下方に位置する部分には、前方に向けて開口したシリンダ収納筒部２７が突設されている。なお、シリンダ収納筒部２７の下壁は、外筒１８における大径部１８ａの上端開口部において前方に位置する部分を閉塞しており、内筒１９のフランジ部１９ｃに上方から対向している。
また、このシリンダ収納筒部２７の上面と、射出筒部１４の後部における下面と、を連結し、かつ後端縁が外筒１８の外周面においてシリンダ収納筒部２７と射出筒部１４との間に位置する部分に接続された垂下板２８が設けられている。さらに、シリンダ収納筒部２７の後端面には、前方に向けて嵌合突部２９が突設されている。
【００１４】
シリンダ１７には、前方に向けて開口した外筒部３１と、この外筒部３１の径方向内側に配置されかつ前方に向けて延設されたピストンガイド部３２と、が備えられている。
そして、シリンダ収納筒部２７内にシリンダ１７の外筒部３１が嵌合されている。また、シリンダ収納筒部２７の内周面とシリンダ１７の外筒部３１の外周面とは、前後方向Ｂの両端部が気密に当接し、かつ前後方向Ｂに沿ってこれらの両端部同士の間に位置する部分には隙間が設けられて筒状空間Ｖが形成されている。また、外筒部３１には、その内部と筒状空間Ｖとを連通する第１連通孔３１ａが形成されている。
【００１５】
ここで、シリンダ収納筒部２７の下壁において、外筒１８における大径部１８ａの上端開口部のうち前方に位置する部分を閉塞する前側部分には、前記筒状空間Ｖに開口する第２連通孔２７ａが形成されている。また、内筒１９のフランジ部１９ｃにおいて、シリンダ収納筒部２７の下壁における前記前側部分に上下方向Ａで対向する部分には、吸い上げ筒部１３における内筒１９の大径部１９ａおよび装着キャップ２０の各内側に向けて開口する第３連通孔１９ｄが形成されている。
【００１６】
ピストンガイド部３２は前面が閉塞され後方に向けて開口した筒状体に形成されており、その後端部の内側にシリンダ収納筒部２７の嵌合突部２９が嵌合している。また、外筒部３１の後端面においてピストンガイド部３２の外側に位置する部分には、吸い上げ筒部１３の内筒１９の内部において吐出弁２３と吸い上げ弁２４との間に位置する部分に開口する連通孔３３が形成されている。なお、外筒部３１の前端縁において上端部に位置する部分には、上方に向けて突出し後方に向けて延びる挟持片３４が設けられている。この挟持片３４には後方に向けて開口し前後方向Ｂに延びる切込みが形成されており、この切込み内に前記垂下板２８の前端部が挟まれている。
【００１７】
ピストン１６には、後方に向けて開口しかつその内部にピストンガイド部３２が挿入されるとともに前端にトリガー１５が連結された筒状のピストン本体部３５と、このピストン本体部３５の後端部に設けられ、外周面が外筒部３１の内周面上を前後摺動しかつ内周面がピストンガイド部３２の外周面上を前後摺動する摺動筒部３６と、が備えられている。
ここで、本実施形態では、シリンダ１７の外筒部３１およびピストンガイド部３２と、ピストン１６のピストン本体部３５および摺動筒部３６と、は前後方向Ｂに沿って延びる共通軸と同軸に配置されている。以下、この共通軸を中心軸線Ｏという。
【００１８】
また、摺動筒部３６は、内径がピストン本体部３５の内径と同等で、かつ外径がピストン本体部３５の外径よりも大きく形成されるとともに、ピストン本体部３５の後端面に連結されて、これらのピストン本体部３５と摺動筒部３６とが一体に形成された概略構成となっている。なお、ピストン１６の外周面において、ピストン本体部３５はシリンダ１７における外筒部３１の内周面には摺接せず、摺動筒部３６のみが摺接するようになっている。
ここで、この摺動筒部３６の後端面には、第１環状溝３６ａと、この第１環状溝３６ａよりも大径の第２環状溝３６ｂとが形成されている。また、摺動筒部３６の前端面には第３環状溝３６ｃが形成されている。なお、これらの第１環状溝３６ａ、第２環状溝３６ｂおよび第３環状溝３６ｃはそれぞれ中心軸線Ｏと同軸に配置されている。
【００１９】
さらに、摺動筒部３６の外周面は、その縦断面視で前後方向Ｂに沿ってその中央部から両端に向かうに従い漸次拡径しており、この摺動筒部３６においてその外周面と第２環状溝３６ｂと第３環状溝３６ｃとで画成された外周部分３６ｄのうち、その前後方向Ｂにおける両端に位置する部分が径方向に弾性変形可能となっている。そして、この摺動筒部３６は、外周部分３６における前後方向Ｂの両端部が外筒部３１の内周面に押し付けられることにより、液密状態で外筒部３１内を前後摺動可能に構成されている。
また、摺動筒部３６の内周面における後端部は、その縦断面視で後方に向かうに従い漸次縮径しており、この摺動筒部３６においてこの後端部における内周面と第１環状溝３６ａとで区画された内周部分３６ｅが径方向に弾性変形可能となっている。
【００２０】
さらに、本実施形態では、摺動筒部３６の内周面とピストンガイド部３２の外周面との間に、ピストン本体部３５の内部における前端部とピストンガイド部３２の前端部との間の内室３７と、外筒部３１の内部における後端部と摺動筒部３６の後端部との間の液室３８と、を連通する連通路３９が形成されている。
ここで、ピストンガイド部３２の外周面には、摺動筒部３６の内周面が前後摺動する複数の摺動突部３２ａ、３２ｂが周方向に間隔をあけて形成されており、これらの周方向で隣り合う摺動突部３２ａ、３２ｂ同士の間と摺動筒部３６の内周面とで画成された部分が前記連通路３９となっている。
【００２１】
なお、摺動突部３２ａ、３２ｂは、ピストンガイド部３２の外周面に前記中心軸線Ｏ方向のほぼ全長にわたって延在している。また、本実施形態では、ピストン１６の内周面は、ピストン本体部３５および摺動筒部３６を含めた全体がその全周にわたって連続して延びる平滑面となっている。すなわち、ピストン１６の内周面において、ピストン本体部３５および摺動筒部３６を含めた全域が摺動突部３２ａ、３２ｂ上を摺動するようになっている。したがって、前記連通路３９は、周方向で隣り合う摺動突部３２ａ、３２ｂ同士の間と、摺動筒部３６およびピストン本体部３５の各内周面とで画成された部分となっている。
これらの摺動突部３２ａ、３２ｂのうち、前後方向Ｂおよび上下方向Ａの双方に直交する直交方向Ｃに沿って延在しかつピストンガイド部３２および摺動筒部３６の共通軸線である前記中心軸線Ｏを通る仮想線Ｌ上に位置する摺動突部３２ａは、他の摺動突部３２ｂよりも周長が長くなっている。
【００２２】
以上の構成において、トリガー１５を牽引してピストン１６をシリンダ１７に対して後退移動させると、液室３８内の液体が加圧され、この加圧された液体が連通孔３３を介して吸い込み筒部１３内に進入し、さらにこの液圧によって吐出弁２３が上方に移動させられることで、液体（内容物）が吐出孔２２を通過し射出筒部１４内に至りノズル１２のノズル孔から噴出される。
その後、トリガー１５を離すと、このトリガー１５は弾性板部２６ｂの弾性復元力により前方に揺動し、これに追従してピストン１６もシリンダ１７に対して前進移動して液室３８内が負圧化する。これにより、容器体内の液体がパイプ２１から吸い上げられ、吸い込み弁２４を開いてテーパ筒部１９ｅ内および連通孔３３を介して液室３８内に流入する。一方、トリガー１５の前方に向けた揺動に追従してピストン１６が後端位置から前進すると、容器体内が負圧化するため、外気が第１連通孔３１ａ、筒状空間Ｖ、第２連通孔２７ａおよび第３連通孔１９ｄをこの順に通過して容器体内へ導入される。
【００２３】
以上説明したように本実施形態に係るトリガー式液体噴出器１０によれば、摺動筒部３６が、外筒部３１の内周面上のみならずピストンガイド部３２の外周面上をも前後摺動するので、例えば前後方向Ｂおよび上下方向Ａの双方に直交する直交方向Ｃに向けた外力がトリガー１５に作用しても、摺動筒部３６の内周面および外周面がそれぞれ、ピストンガイド部３２の外周面および外筒部３１の内周面に各別に支持されることによって、ピストン１６がシリンダ１７に対して傾くのを抑制することが可能になり、液室３８内の液体が外部に漏出するのを防ぐことができる。
【００２４】
しかも、摺動筒部３６の内周面とピストンガイド部３２の外周面との間に連通路３９が形成され、この連通路３９を介して内室３７と液室３８とが連通しているので、トリガー１５を後方に移動させてピストン１６をシリンダ１７に対して後退移動させる過程で連通路３９を介して内室３７のエアや液体を液室３８に流出させることが可能になり、この内室３７の内圧が上昇するのを抑制することができる。したがって、前述したように、摺動筒部３６を、外筒部３１の内周面上のみならずピストンガイド部３２の外周面上をも摺動させるようにしたことによって、内室３７の内圧が上昇しトリガー１５の押し込み量が不足するようになるのを防ぐことが可能になり、吐出障害の発生を防止することができる。
以上より、トリガー１５の押し込み量を現行同等に維持して吐出障害を生じさせることなく、ピストン１６がシリンダ１７に対して傾くのを抑制することができる。
【００２５】
また、本実施形態では、ピストンガイド部３２の外周面に複数の摺動突部３２ａ、３２ｂが形成され、これらの摺動突部３２ａ、３２ｂのうち、前記仮想線Ｌ上に位置する摺動突部３２ａが、他の摺動突部３２ｂよりも周長が長くなっているので、シリンダ１７に対してピストン１６が前記直交方向Ｃにガタつくのを抑制することが可能になる。したがって、トリガー１５に前記直交方向Ｃに向けた外力が作用したときにピストン１６がシリンダ１７に対して傾くのをより一層確実に防ぐことが可能になり、トリガー１５の牽引操作時にピストン１６がシリンダ１７に対してガタつき易い方向である前記直交方向Ｃのガタつきを防止することができる。
【００２６】
さらに、摺動筒部３６においてその内周面と第１環状溝３６ａとで区画された内周部分３６ｅが、径方向に弾性変形可能となっているので、摺動筒部３６の内周面を、ピストンガイド部３２の外周面上にその径方向内方に向けて押し付けた状態で、摺動筒部３６内にピストンガイド部３２を挿入することが可能になり、ピストンガイド部３２の外周面上で摺動筒部３６をその径方向内側から確実に支持することができる。
【００２７】
なお、本発明の技術的範囲は前記実施の形態に限定されるものではなく、本発明の趣旨を逸脱しない範囲において種々の変更を加えることが可能である。
例えば、前記実施形態のようにピストンガイド部３２に摺動突部３２ａ、３２ｂを形成しないで、このピストンガイド部３２の外周面をその全域にわたって平滑面にする一方、ピストン１６の内周面に複数の摺動突部３２ａ、３２ｂを形成してもよい。
また、摺動突部３２ａ、３２ｂは、ピストンガイド部３２の外周面およびピストン１６の内周面のうちの少なくとも一方に形成すればよい。なお、ピストンガイド部３２の外周面およびピストン１６の内周面の双方に摺動突部３２ａ、３２ｂを形成する場合には、互いをかみ合わせないようにするのが好ましい。
さらに、ピストンガイド部３２または／およびピストン１６に形成する複数の摺動突部３２ａ、３２ｂは、全て同形同大にしてもよい。
さらにまた、ピストンガイド部３２の外周面または／およびピストン１６の内周面に前記中心軸線Ｏ方向に延びる溝を形成し、この溝の非形成部分により前述の摺動突部３２ａ、３２ｂと同様の作用効果を奏功させるようにしてもよい。
【００２８】
また、前記実施形態では、摺動筒部３６の内径をピストン本体部３５の内径と同等にし、ピストン１６の内周面において、ピストン本体部３５および摺動筒部３６を含めた全域が摺動突部３２ａ、３２ｂ上を摺動する構成を示したが、これに代えて、摺動筒部３６の内径をピストン本体部３５の内径よりも小さくし、ピストン１６を構成するピストン本体部３５および摺動筒部３６のうち、ピストン本体部３５の内周面は摺動突部３２ａ、３２ｂ上を摺動させずに、摺動筒部３６の内周面のみを摺動突部３２ａ、３２ｂ上を摺動させるようにしてもよい。
【００２９】
さらに、図２で示した摺動突部３２ａ、３２ｂに代えて、例えば図３に示されるように、各摺動突部３２ａ、３２ｂの周方向における中央部に前記中心軸線Ｏ方向に沿って延びる縦溝４０を各別に形成してもよい。そして、複数の摺動突部３２ａ、３２ｂのうち、周長の長い摺動突部３２ａに形成する縦溝４０の幅を、周長の短い摺動突部３２ｂに形成する縦溝４０の幅よりも広くしてもよい。
さらにまた、これに代えて、例えば図４に示されるように、周長の長い摺動突部３２ａに形成する縦溝４０、および周長の短い摺動突部３２ｂに形成する縦溝４０の各幅を互いに同等にし、周長の長い摺動突部３２ａに形成する縦溝４０の個数を、周長の短い摺動突部３２ｂに形成する縦溝４０の個数よりも多くしてもよい。
図３および図４に示されるような摺動突部３２ａ、３２ｂを採用しても、図２で示した摺動突部３２ａ、３２ｂと同様の作用効果を奏功させることができる。
【産業上の利用可能性】
【００３０】
ピストンがシリンダに対して傾くのを抑えて、シリンダ内の液室から外部に液体が漏出するのを防ぐことができる。
【図面の簡単な説明】
【００３１】
【図１】本発明に係る一実施形態として示したトリガー式液体噴出器の縦断面図である。
【図２】図１に示すシリンダの正面図である。
【図３】本発明に係る他の実施形態として示したピストンガイド部の、前方から見た平面図である。
【図４】本発明に係るさらに他の実施形態として示したピストンガイド部の、前方から見た平面図である。
【符号の説明】
【００３２】
１０  トリガー式液体噴出器
１１  噴出器本体
１２  ノズル
１３  吸い上げ筒部
１４  射出筒部
１５  トリガー
１６  ピストン
１７  シリンダ
３１  外筒部
３２  ピストンガイド部
３２ａ、３２ｂ  摺動突部
３３  連通孔
３５  ピストン本体部
３６  摺動筒部
３６ａ  第１環状溝
３６ｂ  第２環状溝
３６ｅ  内周部分
３７  内室
３８  液室
３９  連通路
Ａ  上下方向
Ｂ  前後方向
Ｃ  直交方向
Ｌ  仮想線
Ｏ  中心軸線（共通軸線）
【図１】
0005250247.tif 000002
【図２】
0005250247.tif 000003
【図３】
0005250247.tif 000004
【図４】
0005250247.tif 000005